(57)【要約】【課題】データの再入力を抑制することができる。【解決手段】表示装置は、入力部と、表示部と、制御部とを有する。入力部は、ユーザからの操作に従い、ユーザからデータを得る。表示部は、画像形成装置に投入されるジョブの設定値を受け付ける、第１動作環境で実行されることで表示される第１設定画面を表示する。また表示部は、ジョブの設定値を受け付ける、前記第１環境とは異なる第２動作環境で実行されることで表示され、第１設定画面よりも設定項目の少ない第２設定画面を表示する。制御部は、第２設定画面を表示するように表示部を制御し、第２設定画面内の規定ボタンがユーザにより押下されると、入力部で入力された、第２設定画面を介して得られた設定値を反映した第１設定画面を表示するよう、表示部を制御する。【選択図】図１
2016177790.tif 000002
【特許請求の範囲】
【請求項１】
表示装置であって、
ユーザからの操作に従い、前記ユーザからデータを得る入力部と、
画像形成装置に投入されるジョブの設定値を受け付ける、第１動作環境で実行されることで表示される第１設定画面と、前記ジョブの設定値を受け付ける、前記第１環境とは異なる第２動作環境で実行されることで表示され、前記第１設定画面よりも設定項目の少ない第２設定画面とを表示する表示部と、
前記第２設定画面を表示するように前記表示部を制御し、前記第２設定画面内の規定ボタンがユーザにより押下されると、前記入力部で入力された、前記第２設定画面を介して得られた設定値を反映した前記第１設定画面を表示するよう、前記表示部を制御する制御部と、
を有する表示装置。
【請求項２】
請求項１に記載の表示装置において、
さらに、前記第１動作環境、前記第２動作環境のそれぞれで読み書き可能なファイルシステムで形成された記憶領域を有し、
前記制御部は、前記第２設定画面を介して得られた設定値を前記記憶領域に記憶し、前記第１設定画面を表示するときに、前記記憶領域に記憶した設定値を取得して、前記第１設定画面に設定値を反映させる
表示装置。
【請求項３】
請求項１に記載の表示装置において、
前記制御部は、各設定項目の使用頻度を集計し、使用頻度により前記第２設定画面の各設定項目の配置を変えるように前記表示部を制御する
表示装置。
【請求項４】
請求項１乃至３に記載の表示装置において、
前記第１設定画面内に表示される各設定項目の中の第１設定項目が選択された後に表示される設定可能な項目は、前記第２設定画面の中の前記第１設定項目に対応した設定項目が押下された後に表示される設定可能な項目と異なる
表示装置。
【請求項５】
入力部と、表示部と、制御部とを有する装置に実行させるためのプログラムであって、
前記入力部に、ユーザからの操作に従い、前記ユーザからデータを取得させ、
前記表示部に、画像形成装置に投入されるジョブの設定値を受け付ける、第１動作環境で実行されることで表示される第１設定画面と、前記ジョブの設定値を受け付ける、前記第１環境とは異なる第２動作環境で実行されることで表示され、前記第１設定画面よりも設定項目の少ない第２設定画面とを表示させ、
前記制御部に、前記第２設定画面を表示するように前記表示部を制御させ、前記第２設定画面内の規定ボタンが前記ユーザにより押下されると、前記入力部で入力された、前記第２設定画面を介して得られた設定値を反映した前記第１設定画面を表示するよう、前記表示部を制御させる
処理を、前記装置に実行させるためのプログラム。
【発明の詳細な説明】
【技術分野】
【０００１】
この明細書に記載の実施形態は、画像形成装置の設定操作画面を遷移させる技術に関する。
【背景技術】
【０００２】
従来、コピーなどの操作を簡略化するために新たに簡単コピーモードのような設定操作を加えた製品が出てきている。これらの簡単操作は、よく使われる設定操作のみを搭載して使いやすさを追求したもので、従来とは異なるユーザインターフェイス（操作画面）を有する。また、従来の操作画面はＣ／Ｃ＋＋の言語を用いて作成され、簡単操作画面はＷｅｂベースのＨＴＭＬ５を用いて作成される、というように、簡単操作画面は従来の操作画面とは異なった動作環境で表示されるケースがある。
【発明の概要】
【発明が解決しようとする課題】
【０００３】
複雑なジョブパラメータの設定が必要な場合、全てのパラメータの設定が可能な従来操作で行うことになるが、簡単操作と従来操作の中間に位置付けられるような設定については、従来の操作で行わらざるを得ない。よって、簡単操作画面から従来操作画面に切り替えることが必要になる。
【０００４】
しかしながら、簡単操作画面から従来操作画面へ切り替わった際には、これまで簡単操作で設定したパラメータが引き継がれず、従来操作画面に切り替えた場合は、先に簡単操作画面で設定した同じ設定値を、再度入力することとなる。
【０００５】
本実施形態は上述した問題点を解決するためになされたものであり、データの再入力を抑制することができる。
【課題を解決するための手段】
【０００６】
実施形態の表示装置は、入力部と、表示部と、制御部とを有する。入力部は、ユーザからの操作に従い、ユーザからデータを得る。表示部は、画像形成装置に投入されるジョブの設定値を受け付ける、第１動作環境で実行されることで表示される第１設定画面を表示する。また表示部は、ジョブの設定値を受け付ける、前記第１環境とは異なる第２動作環境で実行されることで表示され、第１設定画面よりも設定項目の少ない第２設定画面を表示する。制御部は、第２設定画面を表示するように表示部を制御し、第２設定画面内の規定ボタンがユーザにより押下されると、入力部で入力された、第２設定画面を介して得られた設定値を反映した第１設定画面を表示するよう、表示部を制御する。
【図面の簡単な説明】
【０００７】
【図１】実施形態の表示装置を有する画像形成装置の構成例を示すブロック図である。
【図２】ホーム画面の一例を示す図である。
【図３】簡単操作画面の一例を示す図である。
【図４】従来操作画面の一例を示す図である。
【図５】実施形態の画像形成装置の動作例を示すフローチャートである。
【図６】実施形態の表示装置を有するクライアント装置の構成例を示すブロック図である。
【図７】第２実施形態における、簡単コピー画面で片面／両面の設定項目が選択された際に表示される画面例を示す図である。
【図８】第２実施形態における、従来のコピー画面で片面／両面の設定項目が選択された際に表示される画面例を示す図である。
【図９】第２実施形態における、簡単コピー画面で倍率の設定項目が選択された際に表示される画面例を示す図である。
【図１０】従来のコピー画面で、倍率の設定項目が選択された際に表示される画面例を示す図である。
【図１１】第３実施形態の画像形成装置の構成例を示すブロック図である。
【図１２】第３実施形態で使用されるデータ構成例を示す図である。
【図１３】第３実施形態における、使用頻度に応じて表示項目が配置されることを説明する図である。
【図１４】第３実施形態の画像形成装置の動作例を示すフローチャートである。
【発明を実施するための形態】
【０００８】
本実施形態は、簡単操作画面で設定できない項目を従来操作画面で行うために、簡単操作中に従来操作へ移行するためのボタンを、簡単操作画面に設ける。本実施形態の表示装置は、簡単操作で設定したジョブパラメータを、従来の操作画面となった際に引き継ぎ、継続する。これにより、複雑なパラメータを継続して設定できるようにするものである。
【０００９】
以下、各実施の形態について、図面を参照しつつ説明する。
【００１０】
（第１実施形態）
図１は、実施形態の表示装置を画像形成装置に適用させた場合の一例を示すブロック図である。画像形成装置１００は、表示装置１２０、ネットワークＩ／Ｆ１０５、給紙部１０７、排紙部１０８、画像形成部１０９を有する。ネットワークＩ／Ｆ１０５は、印刷要求を行うクライアント装置（コンピュータ）から印刷ジョブを受信し、ジョブの実行結果の返信や、画像形成装置１００のステータスの通知を制御するユニットである。ネットワークＩ／Ｆ１０５は、有線通信／無線通信の規格に準拠したネットワークインターフェイスカードを含む。
【００１１】
給紙部１０７は、シートを積載するトレイやカセットを含み、積載シートを画像形成装置１００に供給するピックアップローラを含む。排紙部１０８は、画像形成装置１００の本体内で画像形成されたシートを積載する。画像形成部１０９は、クライアント装置から受信した印刷データや、ＡＤＦ（auto document feeder）に設置される原稿シートの像を、給紙部１０７から供給されるシート上に形成し、排紙部１０８まで搬送するユニットである。
【００１２】
表示装置１２０は、プロセッサ１０１、ＲＡＭ（Random Access Memory）１０２、ＲＯＭ（Read Only Memory）１０３、ＨＤＤ（Hard Disk Drive）１０４、タッチパネルディスプレイ１０６を有し、画像形成装置１００内の各ユニット間での入出力を行うためのバス１１０を含む。プロセッサ１０１はＣＰＵ（Central Processing Unit）などの演算装置であり、本実施形態における制御部である。プロセッサ１０１は、ＲＯＭ１０３に記憶されたプログラムやＨＤＤ１０４に記憶されたプログラムをＲＡＭ１０２に展開し、演算実行することで、各ハードウェアと協働しながら様々な機能を提供する。ＲＡＭ１０２は主記憶装置であり、ＲＯＭ１０３はシステムプログラムなどを不揮発性に記憶した装置である。タッチパネルディスプレイ１０６は、フラット型の液晶画面（表示部）とタッチパネル（入力部）とを有する。タッチパネルディスプレイ１０６は、液晶画面上にタッチパネルが積層配置された構成であり、画面を指先やペン先などで直接押下することで、入力可能なユニットとなっている。
【００１３】
ＨＤＤ１０４は、データやプログラムを不揮発性に記憶する補助記憶装置である。実施形態では、従来の操作画面の表示制御や入力操作を受け付ける第１環境を旧環境１３０と称し、簡単操作画面の表示制御や入力操作を受け付ける第２環境を新環境１４０と称する。以下、旧環境１３０と新環境１４０との差異レベルについて記すが、これらはあくまでも例示である。
【００１４】
・旧環境１３０と新環境１４０とでは、オペレーティングシステム（ＯＳ）レベルで異なったものとする。この場合、プロセッサ１０１は複数コアで構成され、各ＯＳを別個のコアで実行する。
・旧環境１３０はＣ／Ｃ＋＋でコンパイルされたプログラムをそのまま実行する従前の環境とし、他方の新環境１４０はバーチャルマシンやインタプリンタ上で動作する環境とする。
・旧環境１３０はＣ／Ｃ＋＋でコンパイルされたプログラムをそのまま実行する従前環境とし、他方の新環境１４０はＷＥＢベース（ＨＴＭＬ５言語）で画面制御や操作を受け付ける環境とする。
【００１５】
旧環境１３０と新環境１４０とでは、このように、モジュールを実行させるときの動作方法が異なっている構成となる。また旧環境１３０はＷＥＢベース環境、新環境１４０はバーチャルマシン環境とするなど、上記組み合わせを異ならせてもよい。
【００１６】
ＨＤＤ１０４は、旧環境１３０内で動作する旧型プログラム１５２やデータ１５１を記憶しており、また新環境１４０内で動作する新型プログラム１６２やデータ１６１を記憶している。データ１５１、データ１６１は、例えば表示用画面のレイアウトを定義したデータやアイコン画像データなどである。
【００１７】
尚、「新環境」「新型」「旧環境」「旧型」の新旧を示す用語は、便宜上設けたものである。
【００１８】
ＨＤＤ１０４は、共有領域１７１を有する。共有領域１７１は、旧環境１３０、新環境１４０の２つの環境から読み書き可能なファイルシステムで構築されて、マウントされている。すなわち本実施形態では、共有領域１７１を介して、旧環境１３０、新環境１４０の２つの異なる環境間でデータの受け渡しが可能になる。
【００１９】
図２は、タッチパネルディスプレイ１０６で表示される待ち受けメニュー画面（ホーム画面と称する）の一例である。画像形成装置１００は、コピー機能、スキャン機能、ＦＡＸ送信機能、プリント機能、ファイリング機能（ｅ−ファイリング)を有する。コピー機能、スキャン機能、ＦＡＸ送信機能、プリント機能は、従前の画像形成装置でも行うことが可能な基本機能である。ファイリング機能は、利用者固有のフォルダに個人データを格納する機能として提供される。
【００２０】
これら各機能を利用するためのジョブを投入する際、もしくは投入した後に、利用者は設定値を入力する必要があるが、タッチパネルディスプレイ１０６は、機能ごとに、設定値入力用の簡単操作画面と従来操作画面とを表示させることができる。従来操作画面は、画像形成装置１００で従前より表示している操作画面であり、詳細な設定を行うことができる。簡単操作画面とは、従来操作画面で設定可能な項目から、よく使われる設定操作のみを抽出して表示画面としたものである。
【００２１】
ホーム画面には、簡単コピーボタン５０１、簡単スキャンボタン５０２、簡単ファックスボタン５０３、コピーモードボタン５０４、スキャンモードボタン５０５、ファックスモードボタン５０６、プリントモードボタン５０７、ｅ−ファイリングボタン５０８が配置されており、スクロールボタン５０９が操作されることで、左右にスクロールして配置上非表示となっているボタンが表示される。利用者が例えば簡単コピーボタン５０１など「かんたん」と示されるボタンを押下することで、タッチパネルディスプレイ１０６は簡単操作画面を表示する。一方、利用者が例えばコピーモードボタン５０４など「モード」と示されるボタンを押下することで、タッチパネルディスプレイ１０６は従来操作画面を表示する。以下の例では、コピー機能について言及するが、その他のスキャン機能、ＦＡＸ送信機能、プリント機能も同様に簡単操作画面、従来操作画面を有するものとする。
【００２２】
図３は、簡単コピーボタン５０１が押下された場合の簡単操作画面の一例である。簡単コピーボタン５０１が押下されると、プロセッサ１０１は、例えばバーチャルマシンやＨＴＭＬ言語の解析プログラムなどを実行して、新型プログラム１６２を実行させるための新環境１４０を構築し、その後新型プログラム１６２を演算実行する。プロセッサ１０１は、新型プログラム１６２を実行することでタッチパネルディスプレイ１０６が図３の操作画面を表示するように制御する。
【００２３】
図３に示す簡単コピー画面は、設定値を入力する領域６０１〜６０５を有する。領域６０１は、「＋」ボタンや「−」ボタンの押下や不図示のテンキーからの入力を受け付けることで、コピー部数を設定する領域である。領域６０２は、モノクロで画像形成するか、カラーで画像形成するか、もしくは自動でカラーを認識するかの設定を行うための領域である。領域６０３はコピー後のシートサイズを自動設定にするか任意に指定するかを設定する領域である。領域６０４は拡大／縮小率（倍率）を設定する領域であり、領域６０５は、原稿シートが片面／両面のいずれであるか、また片面／両面のいずれとなるようにコピーするかを設定する領域である。領域６０２〜６０５は、各領域内部にそれぞれある矢印６２０が押下されることで、設定可能な値がプルダウン表示もしくはダイアログ表示される。利用者はこのプルダウン表示もしくはダイアログ画面を用いて、所望の値を設定する。
【００２４】
各設定が行われた後、スタートボタン６５１が押下されると、プロセッサ１０１は、各設定値に従いコピー動作を実行するように画像形成部１０９などを制御する。
【００２５】
ここでホームボタン６１０が押下されると、プロセッサ１０１は、図２に示すホーム画面に戻るように表示制御し、リセットボタン６１２が押下されると、プロセッサ１０１は、入力された各設定値をリセットし、デフォルト値に戻るように制御する。
【００２６】
尚、簡単操作画面には、利用者が設定可能な項目のうち、統計上、上位となる設定項目が配置しており、また統計上、上位の設定項目ほど表示領域が大きくなるように設定項目が配置している。本例では、部数の設定が通常使用時の統計上最も高いため、部数設定用の領域６０１が最も大きい領域となっている。
【００２７】
利用者は、画質や印刷濃度の設定など、図３に示す簡単コピー画面で設定することができない設定を行う場合、詳細ボタン６１１を押下する。詳細ボタン６１１の押下により、プロセッサ１０１は、旧型プログラム１６２を実行させるための旧環境１３０を設定し、旧型プログラム１５２を演算実行する。プロセッサ１０１は、旧型プログラム１５２を実行することで、タッチパネルディスプレイ１０６が図４の操作画面を表示するように制御する。図４に示す操作画面は従来操作画面であり、簡単操作画面では設定不可な詳細設定を行うための画面である。また図４に示す従前の画面の方が使い慣れている利用者は、図２に示すホーム画面のコピーモードボタン５０４を押下することで、直接従来操作画面に表示を進めることができる。
【００２８】
図４の画面について説明する。領域７０１は、コピー後のシートサイズを自動設定にするか任意に指定するかを設定する領域であり、選択されるシートサイズの箇所を反転表示する。領域７０２は拡大／縮小率（倍率）を設定する領域であり、領域７０３はステイプル処理やパンチ孔空け処理（いわゆる後処理）の有無を設定する領域である。領域７０４は、割り付け設定片面／両面の設定を行う領域であり、領域７０５は画質（文字画質／写真画質）を設定する領域である。領域７０６はコピー部数を設定する領域であり、領域７０７はカラー／モノクロか、または自動でカラーを認識かを設定する領域である。領域７０８はコピー濃度を設定する領域である。尚、領域７０３、７０５、７０８で設定できる項目が、図３の簡単操作画面には存在しない項目となる。
【００２９】
図４に示すように、画像形成装置１００は、シートサイズや拡大／縮小率、片面／両面設定、カラーモードの各設定値、すなわち図３の簡単設定画面で設定した各設定値を従来操作画面に引き継ぐ。新環境１４０のもとで実行される新型プログラム１６２は、詳細ボタン６１１が押下されると、入力された設定値を共有領域１７１に書き込む。旧型プログラム１５２は、起動時に共有領域１７１に書き込まれた設定値を読み込み、この設定値を反映して実行する。これにより、各プログラム間で設定値の引き継ぎが行われる。尚、設定値引き継ぎの際のデータ構成（バイナリデータにするかテキストにするか、そのデータの表現形式など）は、各プログラムで都合のよいものとなるようにプログラム作成段階で規定される。
【００３０】
図４の従来操作画面での設定が完了し、スタートボタン７０９が押下されると、画像形成部１０９はコピー処理を行う。
【００３１】
尚、図４の従来操作画面から図３の簡単設定画面への遷移は、本実施形態では行われないものとするが、この画面遷移を許容してもよい。この場合、少なくとも簡単設定画面で設定可能な項目は、共有領域１７１を介して従来操作画面から引き継がれる。
【００３２】
図５は、画像形成装置１００の上記動作を実行するときのフローチャートである。図５の各動作は、プロセッサ１０１がプログラム（旧型プログラム１５２や新型プログラム１６２など）を演算実行し、各ハードウェアと協働することで実現される。また、本例では、ホーム画面で簡単コピーボタン５０１以外のボタンが押下される場合については説明しないが、同様の動作となる。
【００３３】
プロセッサ１０１は、タッチパネルディスプレイ１０６を制御して、待ち受け画面であるホーム画面を表示する（ＡＣＴ００１）。尚、このホーム画面の表示制御は、新環境１４０で実行されるものとするが、旧環境１３０で実行されてもよい。
ここで、プロセッサ１０１は、簡単コピーボタン５０１が押下されるまで待機する（ＡＣＴ００２−Ｎｏのループ）。
【００３４】
簡単コピーボタン５０１が押下されると（ＡＣＴ００２−Ｙｅｓ）、プロセッサ１０１は、タッチパネルディスプレイ１０６を制御して、コピーに関する簡単操作画面（簡単コピー画面）を表示する（ＡＣＴ００３）。この際、プロセッサ１０１は、新環境１４０のもとで新型プログラム１６２を起動して、かんたんコピー画面を表示する。
【００３５】
プロセッサ１０１は、タッチパネルディスプレイ１０６が設定値を受け付けた場合、タッチパネルディスプレイ１０６からの入力に従い、設定変更内容を新環境１４０内で記憶する（ＡＣＴ００４）。記憶先となるハードウェアは、ＲＡＭ１０２でもよいし、ＨＤＤ１０４でもよい。プロセッサ１０１は、詳細ボタン６１１が押下されたかを判定し（ＡＣＴ００５）、押下されない場合はスタートボタン６５１が押下されたかを判定する（ＡＣＴ００６）。スタートボタン６５１が押下されていない場合（ＡＣＴ００６−Ｎｏ）、プロセッサ１０１は、ＡＣＴ００４の動作に戻るように制御する。すなわちプロセッサ１０１は、詳細ボタン６１１が押下されるまで、またはスタートボタン６５１が押下されるまでＡＣＴ００４を繰り返す。
【００３６】
スタートボタン６５１が押下されると（ＡＣＴ００６−Ｙｅｓ）、プロセッサ１０１は、今まで設定した内容で処理するよう、画像形成部１０９などを制御してコピーを実行する（ＡＣＴ０１２）。また一方、詳細ボタン６１１が押下されると（ＡＣＴ００５−Ｙｅｓ）、プロセッサ１０１は、新型プログラム１６２の処理コードに従い設定値をＨＤＤ１０４の共有領域１７１に一旦記憶する（ＡＣＴ００７）。プロセッサ１０１は、旧環境１３０のもとで旧型プログラム１５２を起動して、共有領域１７１に記憶された設定値を旧環境１３０内に取り込む（ＡＣＴ００８）。そして、プロセッサ１０１は、旧型プログラム１５２の処理コードに従い、従来操作画面を表示する（ＡＣＴ００９）。この際、プロセッサ１０１は、画面上の各項目を取り込んだ設定値で反映する。
【００３７】
その後、プロセッサ１０１は、旧環境１３０のもとで設定変更された場合はその内容を記憶する（ＡＣＴ０１０）。ＡＣＴ０１０は、スタートボタン７０９が押下されるまで実行される（ＡＣＴ０１１−Ｎｏのループ）。スタートボタン７０９が押下されると（ＡＣＴ０１１−Ｙｅｓ）、プロセッサ１０１は、新旧の両環境で設定された最終的な値に従い、画像形成部１０９を制御してコピーを行う（ＡＣＴ０１２）。
【００３８】
上記実施形態では、従来型の操作（コピー、スキャン、ファクスなど）の機能選択ボタンに加えて、それぞれよく使う設定のみとした簡単操作（簡単コピー、簡単スキャン、簡単ファクス）の機能選択ボタンを設けることについて説明した。また、簡単操作画面の中に、従来の操作に移動するためのボタン（詳細ボタン）を設けることについても説明した。
【００３９】
さらに、本実施形態の表示装置は、詳細ボタンが押下されたとき、従来の操作画面に移行するとともに、それまで簡単操作で設定されていたジョブパラメータを全て引き継ぐことを説明した。この画面の切り替えや引き継ぎにより、簡単操作にあと少しだけ設定を加えてジョブを実行したいといった要望に応えることができる。
【００４０】
上記では、実施形態の表示装置を画像形成装置に適用させた場合について説明したが、このような表示装置の機能を他の装置に適用させることも可能である。図６は、上記説明した表示装置を、コンピュータであるクライアント装置に適用させた場合の構成例を示すブロック図である。クライアント装置は、編集した画像やドキュメント、閲覧したデータなどの印刷を画像形成装置に要求するコンピュータである。
【００４１】
クライアント装置２００は、表示装置２２０、ネットワークＩ／Ｆ２０５を有する。表示装置２２０は、プロセッサ２０１、ＲＡＭ（Random Access Memory）２０２、ＲＯＭ（Read Only Memory）２０３、ＨＤＤ（Hard Disk Drive）２０４、モニタなどの表示デバイス２０６、キーボード、マウスなどの入力デバイス２０７を有し、クライアント装置２００内の各ユニット間での入出力を行うためのバス２１０を含む。表示デバイス２０６、入力デバイス２０７に替えて、またこれらとともにタッチパネルディスプレイを含む構成としてもよい。
【００４２】
プロセッサ１０１、ＲＡＭ１０２、ＲＯＭ１０３は、上記画像形成装置１００で説明した各ユニットと同等の機能を有する。
【００４３】
ＨＤＤ２０４は、データやプログラムを不揮発性に記憶する補助記憶装置である。ＨＤＤ２０４は、上記の画像形成装置１００と同様、旧環境２３０、新環境２４０を記憶しており、旧環境２３０のもとで動作する旧型プログラム２５２、データ２５１、および、新環境２４０のもとで動作する新型プログラム２６２、データ２６１を記憶している。図６に示す表示装置２２０の構成により、ジョブの投入を画像形成装置に行う前に上記の各設定動作を行うことができる。
【００４４】
（第２実施形態）
上記の第１実施形態では、例えばカラーモード、シートサイズ、倍率などの設定項目を押下選択した後に、プルダウンメニューやダイアログを表示し、当該設定項目のパラメータ値を設定するものとして説明した。第２実施形態では、このプルダウンメニュー内やダイアログ内の、パラメータを指定するための項目が、簡単操作画面と従来操作画面とでは異なることについて説明する。また、従来操作画面から設定可能な項目は、簡単操作画面よりも詳細なものとなっていることも説明する。
【００４５】
以下では、具体例としてコピー処理時の片面／両面の設定、および倍率の設定について言及するが、他の設定項目も同様である。装置構成などについては、第１実施形態と同様であるため、説明を割愛する。また第２実施形態において、動作主体を旧環境１３０もしくは新環境１４０として説明するが、実際は、プロセッサ１０１がプログラム１５２、１６２のコードに従い動作制御している。
【００４６】
図７は、図３に示した簡単コピー画面で、片面／両面を設定する領域６０５が押下された後の状態を示した図である。領域６０５が押下されると、新環境１４０は、プルダウンメニュー７０１（プルアップメニュー）を表示する。プルダウンメニュー７０１は、片面から片面（「１−＞１」と表記）、片面から両面（「１−＞２」と表記）、両面から両面（「２−＞２」と表記）、両面から片面（「２−＞１」と表記）を選択可能に列挙している。利用者は、プルダウンメニュー７０１の中から選択することで、新環境１４０は、片面／両面についてのパラメータ値を取得し、記憶領域内に書き込む。
【００４７】
図８は、図４に示した従来操作画面のコピー画面で、片面／両面を設定する領域７０４が押下された後の状態を示した図である。領域７０４が押下されると、旧環境１３０は、ダイアログ７５１を表示する。ユーザは、ダイアログ７５１の中から押下選択することで、旧環境１３０は、片面／両面についてのパラメータ値を取得する。
【００４８】
ダイアログ７５１では、ユーザがボタン群７５２のいずれかのボタンを押下することで、簡単コピー画面で得られる値と同様の設定値を得ることができる。またボタン７５２Ａは、冊子状態の原稿を片面コピーにするときに選択するためのボタンであり、簡単コピー画面のプルダウンメニュー７０１には無い項目である。
【００４９】
ダイアログ７５１では、ユーザがボタン群７５３のいずれかのボタンを押下することで、原稿の向きを指定することができる。この項目も、簡単コピー画面のプルダウンメニュー７０１には無い項目である。
【００５０】
図９は、図３に示した簡単コピー画面で、倍率を設定する領域６０４が押下された後の状態を示した図である。領域６０４が押下されると、新環境１３０は倍率を設定するダイアログ８０１を表示する。ダイアログ８０１内にあるボタン８０２が押下されると、新環境１３０は、コピーシートのサイズに適するよう自動的に倍率調整するモードとなるように設定、制御する。ボタン８０３が押下されると、新環境１３０は、例えば２５％、５０％、１００％、２００％、４００％など、事前に定義される選択項目を列挙したプルダウンメニュー（不図示）を更に表示する。利用者は、当該プルダウンメニュー内の項目から、倍率を選択することができる。また、領域８０４の「＋」、「−」を押下することで、ユーザ任意の倍率を指定することができる。
【００５１】
図１０は、図４に示した従来操作画面のコピー画面で、倍率を設定する領域７０２が押下された後の状態を示した図である。旧環境１４０は、領域７０２が選択されることで、図１０に示すダイアログ８５１を表示する。ダイアログ８５１内のボタン群８５３は、図９に示すボタン８０２やボタン８０３での選択項目に相当する。すなわち、自動倍率選択ボタンは、簡単コピー画面におけるボタン８０２（フィットボタン）に相当する。また２５％〜４００％とラベル付けされたボタンは、簡単コピー画面におけるボタン８０３が押下された後に表示される、不図示のプルダウンメニューの項目に相当する。旧環境１４０は、ユーザが倍率を変更することで、連動して領域８５２の表示値を変更する。また、ユーザが拡大／縮小ボタン８５４を操作することで、ユーザ任意の倍率を指定することができる。拡大／縮小ボタン８５４を用いた設定は、簡単コピー画面における領域８０４内の「＋」「−」を用いた設定に相当する。
【００５２】
このように、ダイアログ８５１の左欄の設定内容は、簡単コピー画面におけるダイアログ８０１と同様の項目となっているが、ダイアログ８５１の右欄の項目は、簡単コピー画面では設定できない項目である。ダイアログ８５１の右欄には、原稿シートのサイズを指定する領域８５５と、画像を形成するコピーシートのサイズを指定する領域８５６がある。ユーザは、これら領域で原稿シートのサイズおよびコピーシートのサイズを選択する。旧環境１４０は、選択された原稿シートサイズおよびコピーシートサイズに基づき、倍率計算を行い、領域８５２に計算結果を表示する。尚、各領域内のその他ボタン８５８は、日常的に使用するシートサイズ（本例ではＡ３、Ａ４、Ｂ４、Ｂ５の各サイズ）以外で、管理者が事前に指定したシートサイズが登録されている。また、サイズ設定ボタン８５７は、その他ボタン８５８にシートサイズを割り当てるために設けられたボタンである。管理者は、サイズ設定ボタン８５７を押下して、その他ボタン８５８用のシートサイズを設定する。また、原稿シートのサイズが混在している場合、ユーザは領域８５５内のサイズ混在ボタン８５９を選択する。これにより、旧環境１４０は、混在したシートサイズを判定し、適したコピーシートを選定するモードとなるように制御する。
【００５３】
このように本実施形態では、簡単コピー画面経由で得られる設定内容と、従来のコピー画面経由で得られる設定内容とは異なっている。また、従来のコピー画面経由で得られる設定内容は、かんたんコピー画面経由で得られる設定内容の一部もしくは全てを含む。
【００５４】
第２実施形態では、詳細設定可能な従来のコピー画面内に表示される各設定項目（例えば図４のカラーモード、シートサイズ、倍率、両面／片面の各領域など）の中の第１設定項目（例えば両面／片面の領域７０４）が選択された後に表示される設定可能な項目（図８のダイアログ７５１内の項目）は、簡単コピー画面の中の第１設定項目に対応した設定項目（図３の両面／片面の領域６０５）が押下された後に表示される設定可能な項目（図７のプルダウンメニュー７０１内の項目）と異なり、また多くなることについて説明した。
【００５５】
（第３実施形態）
第３実施形態では、簡単操作画面の表示項目を、各項目の使用頻度に応じて変更する態様について説明する。
【００５６】
図１１は、第３実施形態の画像形成装置の構成例を示すブロック図である。第３実施形態の画像形成装置１００は、図１１に示すように認証部１３１を有する。認証部１３１は、利用者が各個人で保持するＩＣカードを読み取るカードリーダなどを含み、画像形成装置１００の使用を許可するか否かを判定する。また認証部１３１は、いずれの利用者が今現在画像形成装置１００を使用しているかの情報（ユーザの識別情報）を、ＨＤＤ１０４に保持する。認証部１３１での認証手法については、ユーザＩＤとパスワードを入力させるパスワード認証や生体認証などでもよい。この認証部１３１以外の装置構成については、第１実施形態と同様であるため、説明を割愛する。
【００５７】
図１２は、画像形成装置１００がコピージョブを受け付けた際に、利用者によって設定変更された項目の集計値を示したデータテーブルである。このデータテーブルは、ＨＤＤ１０４に記憶される。図１２に示すように、プロセッサ１０１は、利用者ごとにいずれの項目が変更されたかを、設定項目ごとに集計する。図１２に示す数値は、規定期間（例えば過去１ヶ月間）の集計値であり、設定変更が行われた場合にカウントアップされる。この集計値をここでは頻度値と称する。尚、コピージョブの際、本例ではカラーモード、シートサイズ、倍率、片面／両面、部数、文字／写真、後処理の各項目が設定可能であり、これら設定項目ごとに集計するものとするが、設定項目はこれに限らない。
【００５８】
また、従来操作画面のみで設定可能な項目は、簡単操作画面では表示されないため、ユーザの目に触れる機会が少なくなり使用頻度を集計する際には不利な扱いとなる。この点を考慮し、従来操作画面のみで設定可能な項目については重み付けを行い、実際の使用回数に規定係数を掛け合わせたものを集計する、などを行ってもよい。または、集計の対象を従来操作画面での操作のみとし、簡単操作画面で設定された場合は集計しない、との実装でもよい。
【００５９】
第３実施形態では、簡単操作画面においてはこの頻度値に従いユーザに表示する設定項目や並びを変更する。第３実施形態では、頻度値の最も高い設定項目（最も頻繁に使用する設定項目）を、表示領域の上段に大きく表示する。また表示領域の下段には、次に頻度値の高いものから順に、左詰めで表示する。
【００６０】
図１３は、図１２に示す頻度値に従い、識別情報がｕ００００２の利用者用の簡単コピー画面を示した図である。図１２において、ｕ００００２の利用者はカラーモードを変更する頻度が最も高く、その頻度値は３５である。よってプロセッサ１０１は、カラーモードの設定項目を表示領域の上段に配置する。次いでプロセッサ１０１は、表示領域の下段に、頻度値の高いものから順に、本例では部数、片面／両面、後処理、文字／写真の設定項目の順に左詰めで配置する。
【００６１】
尚、図３に示す簡単コピー画面は、識別情報がｕ００００１の利用者用の画面であり、図１２の頻度値に従い表示されたものである。このように、プロセッサ１０１は、頻度値に応じて、また利用者に応じて、提供する画面を異ならせるように表示制御する。
【００６２】
図１３は、簡単コピー画面の表示を行う際の動作例を示したフローチャートである。図１３に示すフローチャートは、図５に示すＡＣＴ００３の表示処理の際に行われる。
【００６３】
プロセッサ１０１は、認証部１３１で管理されている、今現在使用しているユーザの識別情報（ユーザＩＤ）を取得する（ＡＣＴ１０１）。プロセッサ１０１は、取得したユーザＩＤに対応付けられた各設定項目の頻度値を、ＨＤＤ１０４に記憶されているテーブル（図１１に示すテーブル）から取得する（ＡＣＴ１０２）。プロセッサ１０１は、取得した頻度値を大きい順にソートし（ＡＣＴ１０３）、頻度値の最も大きい設定項目の表示用データ（例えば画像データや配置位置、配置領域などのレイアウトデータ）を、ＨＤＤ１０４から取得する（ＡＣＴ１０４）。尚、表示用データなどは、データ１６１として事前にＨＤＤ１０４に記憶されている。またレイアウトに応じて、１つの設定項目につき大きさの異なる複数の表示用データが記憶されている。
【００６４】
プロセッサ１０１は、頻度値の最も大きい設定項目を画面上段に配置する（ＡＣＴ１０５）。プロセッサ１０１は、次に頻度値の大きい設定項目の表示用データを取得し（ＡＣＴ１０６）、画面下段に左詰めで配置する（ＡＣＴ１０７）。
【００６５】
プロセッサ１０１は、処理した設定項目の数が規定数に達したかを判定する（ＡＣＴ１０８）。本例では、上段に１つ、下段に４つの設定項目を配置するように定義付けられているものとし、この数が規定数となる。規定数に達している場合（ＡＣＴ１０８−Ｙｅｓ）、図１３のフローチャートの処理は終了する。規定数に達していない場合（ＡＣＴ１０８−Ｎｏ）、処理はＡＣＴ１０６に戻る。
【００６６】
第３実施形態では、使用頻度によって設定項目の並びが変わったり、他の設定項目と置き替わったりする態様について説明した。また、利用者ごとに設定項目の並びが変わったり、他の設定項目と置き替わったりする態様について説明した。この態様以外にも、クライアント装置ごとに表示内容を異ならせる実装でもよい。この場合、クライアント装置の識別情報（装置名やＩＰアドレスなど）と設定項目とを対応付けることで実現可能である。
【００６７】
また、利用者ごととはせず、画像形成装置単位で表示内容を異ならせる実装でもよい。この場合、プロセッサ１０１は、利用者ごとの各設定項目の頻度値を集計し、設定項目ごとに総計を算出する。プロセッサ１０１は、この設定項目ごとの総計に基づき、また上記プロセスを実施することで、簡単操作画面上に設定項目を配置する。
【００６８】
上記の第１実施形態、第２実施形態、第３実施形態の各実施形態の態様を組み合わせてもよい。また、各画面内の設定項目の画像やレイアウトは、あくまでも一例である。
【００６９】
上記各実施形態では、不揮発性の記憶装置をデータ伝達媒体として利用し、設定値の引き継ぎを行っていたが、プロセス間通信を用いて共有メモリを利用し、設定値の引き継ぎを行ってもよい。
【００７０】
上記各実施形態では、２つの環境間、プログラム間、設定画面間でデータの引き継ぎを行う例について説明したが、これに限らず、３つ以上の環境間、プログラム間、設定画面間でデータの引き継ぎを行ってもよい。
【００７１】
上記各実施形態では、装置内部に各態様を実施する機能が予め記録されている場合について説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等にプログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００７２】
実施形態の態様により、画像形成装置の動作設定値を、動作環境の異なるモジュール間や設定画面間で受け渡すことができ、データの再入力を抑制することができる。
【００７３】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００７４】
１００  画像形成装置、１０１  プロセッサ、１０２  ＲＡＭ、１０３  ＲＯＭ、
１０４  ストレージ、１０５  ネットワークＩ／Ｆ、
１０６  タッチパネルディスプレイ、１０７  給紙部、
１０８  排紙部、１０９  画像形成部、１２０  表示装置、
１３０  旧環境、１３１  認証部、１４０  新環境、１５１、１６１  データ、
１５２  旧型プログラム、１６２  新型プログラム、１７１  共有領域、
２００  クライアント装置、２０１  プロセッサ、２０２  ＲＡＭ、２０３  ＲＯＭ、
２０４  ストレージ、２０５  ネットワークＩ／Ｆ、２０６  表示デバイス、
２０７  入力デバイス、２２０  表示装置、
２３０  旧環境、２４０  新環境、２５１、２６１  データ、
２５２  旧型プログラム、２６２  新型プログラム、２７１  共有領域。
【図１】
2016177790.tif 000003
【図２】
2016177790.tif 000004
【図３】
2016177790.tif 000005
【図４】
2016177790.tif 000006
【図５】
2016177790.tif 000007
【図６】
2016177790.tif 000008
【図７】
2016177790.tif 000009
【図８】
2016177790.tif 000010
【図９】
2016177790.tif 000011
【図１０】
2016177790.tif 000012
【図１１】
2016177790.tif 000013
【図１２】
2016177790.tif 000014
【図１３】
2016177790.tif 000015
【図１４】
2016177790.tif 000016